【手続補正書】
【提出日】平成26年7月9日(2014.7.9)
【手続補正１】
【補正対象書類名】明細書
【補正対象項目名】００３９
【補正方法】変更
【補正の内容】
【００３９】
すべてのフェムトセル１０２ａ〜１０２ｅの相対ロケーションが、フェムトセル間で行われた測定から知られているときに、フェムトセル１０２ａ〜１０２ｅのグループの位置を特定するために個別のフェムトセルを絶対的に位置特定する際に複雑なのは、個別のフェムトセルが、ＧＮＳＳもしくはＡ−ＧＮＳＳの場合に最大５個のＧＮＳＳ  ＳＶからの、またはＯＴＤＯＡ、ＡＦＬＴもしくは信号伝搬時間に基づく測位の場合に３個以上の地上無線ビーコンからの信号を必要とすることがあり、この場合に異なるＳＶまたは無線ビーコンが良い形状を有する（たとえば、これらがすべて、測定するフェムトセルにおいて同じ全般的方向で受信されることはない）と仮定していることである。これは、建物の内部にあるフェムトセルの場合には達成できないことがある。
【手続補正２】
【補正対象書類名】明細書
【補正対象項目名】００５２
【補正方法】変更
【補正の内容】
【００５２】
例示的な一実装形態では、グループがたった２つのフェムトセル１０２ａおよび１０２ｂを備える場合、本方法は、たった６つの変数を計算することができる。たとえば、フェムトセル１０２ａに関する変数ｘ、ｙ、ｚおよびＴを判断することができ（ここでｘ、ｙ、ｚはフェムトセル１０２ａの絶対ロケーションである）、フェムトセル１０２ａに対するフェムトセル１０２ａの方位角および高度が取得され得る。別の実装形態では、６つの変数からなる他のセットが、２つのフェムトセルのロケーションを判断するのに使用され得る。たとえば、フェムトセル１０２ａによって取得された４つの異なるＳＶに関する擬似距離測定値は、フェムトセル１０２ａに関する変数ｘ、ｙ、ｚ、Ｔを判断するのに十分であることがあり、フェムトセル１０２ｂからのさらに２つのＳＶに関する擬似距離は、フェムトセル１０２ａに対するフェムトセル１０２ｂの方位角および高度を取得するのに十分であることがある。別の例では、各フェムトセルからの３つの異なるＳＶに関する擬似距離測定値も十分であることがあり、その理由は、これによって、ｘ、ｙ、ｚについての各フェムトセル、および当該フェムトセルについてのＴに関する３つの式、ならびにＯＴＤＯＡまたは伝搬時間測定値によって提供される各フェムトセルについてのｘ、ｙ、ｚの２つのセットに関する１つのさらなる式がもたらされるからである。
【手続補正３】
【補正対象書類名】明細書
【補正対象項目名】００５４
【補正方法】変更
【補正の内容】
【００５４】
他の実装形態では、７つの変数からなる他のセットが、３つ以上のフェムトセル１０２ａ〜１０２ｅのロケーションを判断するのに使用され得る。たとえば、第１のフェムトセル１０２ａからの３つの異なるＳＶに関する擬似距離測定値、第２のフェムトセル１０２ｂからの３つの異なるＳＶに関する擬似距離測定値、および第３のフェムトセル１０２ｃからの１つのＳＶに関する擬似距離測定値も十分であり得る。７つの擬似距離測定値が、３つ以上のフェムトセルから受信される擬似距離測定値の任意の組合せから取得され得ることに留意されたい。この理由は、ＯＴＤＯＡおよび／または信号伝搬時間測定値から相対ロケーションが判断されると、フェムトセルは頑強な構造を形成することができ、その構造は、６自由度（たとえば、構造上の１点に関する絶対ロケーションおよびその点の周りの構造の方位）を有し得ることにある。この例では、フェムトセルからの各擬似距離測定値は、フェムトセルのｘ、ｙ、ｚおよびＴに関する１つの式、ひいてはフェムトセル構造のロケーションおよび方位に関する１つの式を提供することができる。したがって、その場合（少なくとも３つの異なるフェムトセルからの７つの異なる擬似距離測定値によって提供される）７つの式を使用して、このロケーションおよび方位と追加のＴ変数とを解くことができる。
【手続補正４】
【補正対象書類名】明細書
【補正対象項目名】００６０
【補正方法】変更
【補正の内容】
【００６０】
図２ｂは、本開示のいくつかの態様によるフェムトセル位置を判断する方法を示している。図２ｂに示す例では、ブロック２２０において、ロケーションサーバ１０４は、位置判断のためにフェムトセルのグループを識別する。ロケーションサーバ１０４は、（たとえば、ＳＵＰＬまたはＬＰＰ／ＬＰＰｅを使用する）各フェムトセルからの、当該フェムトセルによって信号が受信され得る他のフェムトセルおよび無線ビーコン（たとえば、基地局、ＡＰ、ｅノードＢ）に関する指示を受信することによって、前述のグループを識別することができる。サーバ１０４は、互いの信号を受信できるフェムトセルのみを含めることによって、たとえば、１つのフェムトセルで開始し、当該フェムトセルによって検出可能なすべてのフェムトセルを追加し、これらの追加フェムトセルによって検出可能なフェムトセルをさらに追加することなどによって、グループを構築することができる。ブロック２２２において、ロケーションサーバ１０４は、グループ内のすべてのフェムトセルに関する共通時間基準となる、すべてのフェムトセルによって信号が受信され得る１つの無線ビーコンまたはフェムトセルを特定する。代替的に、ロケーションサーバ１０４は、いくつかの異なる無線ビーコンおよびフェムトセルの送信タイミングを、フェムトセルによって提供されるＯＴＤＯＡおよび信号伝搬遅延測定値を使用して関連付けることができる。この場合、ブロック２２２において、ロケーションサーバ１０４は、時間基準として機能するように送信タイミングが関連付けられている無線ビーコンおよび／またはフェムトセルのセットを特定することができる。ブロック２２４において、ロケーションサーバ１０４は、グループ内の一部または全部のフェムトセルからのＡ−ＧＮＳＳ擬似距離測定値をスケジュールし、測定値が取得される時間または範囲である共通時間基準または共通時間ウィンドウを含める。スケジューリングは、複合ＬＰＰ／ＬＰＰｅ測位プロトコルを使用して、たとえば、ロケーションサーバ１０４がグループ内の各フェムトセルに、Ａ−ＧＮＳＳ測定値を求める要求を伝えるＬＰＰ／ＬＰＰｅ  Ｐｒｏｖｉｄｅ  Ｌｏｃａｔｉｏｎ  Ｉｎｆｏｒｍａｔｉｏｎメッセージを送り、時間基準として選択されている１つのフェムトセルもしくは無線ビーコンまたは時間基準として選択されている無線ビーコンもしくはフェムトセルのうちの１つのいずれかを使用して、または時間基準としてＧＮＳＳ時間を使用して、または時間基準として現在時間からの時間オフセットを使用して、時間ウィンドウを提供することによって、実行され得る。ブロック２２６において、ロケーションサーバ１０４は、異なる時間ではあるが、総じて共通時間基準に近いか、ブロック２２４で指定された共通時間ウィンドウ内にある時間にフェムトセルによって取得された擬似距離測定値を受信する。ブロック２２７において、受信された測定値が一部または全部のフェムトセルロケーションを判断するのに十分であるか否かの判断が下される。ブロック２２６における受信された測定値が、一部または全部のフェムトセルロケーションを判断するのに不十分である場合（２２７＿いいえ）、ロケーションサーバ１０４は、後の時間に測定値を取得するために後の時間にブロック２２４および２２６を繰り返すことができる。この繰返しは、ロケーションサーバ１０４から各フェムトセルに新しい要求を送ることによって、またはロケーションサーバ１０４に、ブロック２２４が開始された初回に各フェムトセルに周期的測定を要求させることによって、実現され得る。任意の周期的測定は、固定時間間隔でスケジュールされてよく、または特定のトリガ条件（たとえば、フェムトセルが新しいＳＶから信号を受信し測定することができるときにトリガされる）の発生後に生じるようにスケジュールされてよく、または特定のトリガ条件が生じたときのみ固定時間間隔で生じるようにスケジュールされてよい。ブロック２２６における受信された測定値が、一部または全部のフェムトセルロケーションを判断するのに十分である場合（２２７＿はい）、本方法はブロック２２８に移動する。ブロック２２８において、ロケーションサーバ１０４は、受信した擬似距離測定値と、フェムトセルによってもたらされた他のフェムトセルおよび無線ビーコンに関するＯＴＤＯＡおよび／または信号伝搬時間の測定値とを使用して、絶対ロケーションを計算する。ブロック２３０において、ロケーションサーバ１０４は、各フェムトセルに対し、そのロケーションと、このフェムトセルおよび／または他のフェムトセルもしくは無線ビーコンに対するＧＮＳＳ時間基準とを送ることができる。これは、ＬＰＰまたは複合ＬＰＰ／ＬＰＰｅ測位プロトコルを使用して実現でき、たとえば、この場合にロケーションサーバ１０４は各フェムトセルに対し、ロケーションおよびタイミング情報を伝えるＬＰＰ／ＬＰＰｅ  Ｐｒｏｖｉｄｅ  Ａｓｓｉｓｔａｎｃｅ  Ｄａｔａメッセージを送る。次いで受信側フェムトセルは、受信したタイミング情報を使用して、それら自体の送信タイミングを、たとえばＧＮＳＳ時間またはある他の時間にほぼ同期させることができる。
【手続補正５】
【補正対象書類名】明細書
【補正対象項目名】００６１
【補正方法】変更
【補正の内容】
【００６１】
図２ｃは、本開示のいくつかの態様によるフェムトセル位置を判断する別の方法を示している。図２ｃに示すように、ブロック２３２において、フェムトセル１０２ａ〜１０２ｅはＳＶ擬似距離および／または他のフェムトセルおよび／もしくは無線ビーコンに関するＯＴＤＯＡもしくは信号伝搬時間測定値を取得する。これは各フェムトセルによって誘発されるか、ロケーションサーバ１０４によって要求されることがある。後者の場合、ロケーションサーバ１０４は、測定が行われる時間または範囲である共通時間基準または共通時間ウィンドウを提供することができる。ブロック２３４において、フェムトセル１０２ａ〜１０２ｅは、擬似距離および／またはＯＴＤＯＡもしくは信号伝搬遅延測定値をロケーションサーバ１０４に送る。ブロック２３５において、ロケーションサーバ１０４が追加測定値を必要とするか否かの判断が下される。ロケーションサーバ１０４が追加測定値を必要とし、新しい要求を送る場合、またはロケーションサーバ１０４が最初に周期的測定またはトリガされた測定を要求した場合（２３５＿はい）、本方法はブロック２３２に移動し、１つまたは複数の後の時間にブロック２３２および２３４を繰り返す。代替的に、ロケーションサーバ１０４が追加測定値を必要とせず、要求を出さない場合（２３５＿いいえ）、本方法はブロック２３６に移動する。ブロック２３６において、フェムトセルは、それぞれのロケーションとＧＮＳＳ時間基準とを、ロケーションサーバ１０４から受信する。
ブロック２３８において、フェムトセルは時間基準を使用して、擬似同期化を実現させる。フェムトセルのグループがグループとして同期する必要がないことに留意されたい。各フェムトセルは、たとえば初期化中に個別に同期し得る。
【手続補正６】
【補正対象書類名】明細書
【補正対象項目名】００６５
【補正方法】変更
【補正の内容】
【００６５】
さらに、本明細書における方法および実施形態は、フェムトセルのローカルグループ内のフェムトセルのロケーションを判断することに当てはまっているが、実質的に同じ方法および実施形態を使用して、無線対応ターゲットデバイスの任意のグループの位置を、ターゲットデバイスが一般に固定ロケーションを有し、互いに近接していて、１つのデバイスからの信号がグループ内の他のデバイスによって受信され得る場合に、特定することができる。そのような静的ターゲットデバイスの例として、ＷｉＦｉアクセスポイント，Ｂｌｕｅｔｏｏｔｈ（登録商標）対応デバイス、静的ユーザ（たとえば、会議室またはオフィスビルの内部で一定時間座っているユーザ）のグループに関連するワイヤレス端末、およびピコ基地局があるが、これらに限定されない。